(57)【要約】【課題】本発明は、ヨークの構成を単純化して孔隙が最小化できる電子開閉装置を提供するためのものである。【解決手段】一態様に従う電子開閉装置は、内部に磁力を発生させるコイルが備えられたコイルアセンブリー、及びコイルアセンブリーの外面の一部を覆いかぶせて内部にコイルアセンブリーが挿入されるヨークを含み、ヨークは、上面を構成するヨーク上部、ヨーク上部の一側に提供されてコイルで発生する磁力を遮断するヨーク側部、及びヨーク上部とヨーク側部とが一体に形成されるようにヨーク上部とヨーク側部との間に配置される連結部を含むことができ、ヨーク側部は、内部にコイルアセンブリーが挿入されるように空間を提供する開口、上部ヨークと連結部により連結される第１ヨーク側部、及び第１ヨーク側部の反対面に配置される第２ヨーク側部を含むことができる。【選択図】図１
2014053616.tif 000002
【特許請求の範囲】
【請求項１】
内部に磁力を発生させるコイルが備えられたコイルアセンブリーと、
前記コイルアセンブリーの外面の一部を覆いかぶせて内部に前記コイルアセンブリーが挿入されるヨークと、を含み、
前記ヨークは、
上面を構成するヨーク上部と、
前記ヨーク上部の一側に提供されて前記コイルで発生する磁力を遮断するヨーク側部と、
前記ヨーク上部と前記ヨーク側部とが一体に形成されるように前記ヨーク上部と前記ヨーク側部との間に配置される連結部と、
を含むことを特徴とする、電子開閉装置。
【請求項２】
前記ヨーク側部は、
内部に前記コイルアセンブリーが挿入されるように空間を提供する開口と、
前記上部ヨークと前記連結部により連結される第１ヨーク側部と、
前記第１ヨーク側部の反対面に配置される第２ヨーク側部と、
を含むことを特徴とする、請求項１に記載の電子開閉装置。
【請求項３】
前記連結部は、
前記第１ヨーク側部と前記ヨーク上部を垂直になるように連結することを特徴とする、請求項２に記載の電子開閉装置。
【請求項４】
前記連結部は、
一定の曲率を有する曲率形態に成形されることを特徴とする、請求項２に記載の電子開閉装置。
【請求項５】
前記ヨーク上部の一側には前記連結部が形成され、
前記ヨーク上部の他側には前記第２ヨーク側部が結合されるように係止溝が形成されることを特徴とする、請求項２に記載の電子開閉装置。
【請求項６】
前記第２ヨーク側部には、
前記係止溝に結合されるように突出部が形成されることを特徴とする、請求項５に記載の電子開閉装置。
【請求項７】
前記開口は、
前記第１ヨーク側部の一側と前記第２ヨーク側部の一側との間の空間に形成される第１開口と、
前記第１ヨーク側部の他側と前記第２ヨーク側部の他側との間の空間に形成される第２開口と、を含み、
前記コイルアセンブリーは、
前記第１開口と前記第２開口を順次に通過して前記ヨークの内部に挿入されることを特徴とする、請求項２に記載の電子開閉装置。
【請求項８】
前記コイルアセンブリーは、
上面を形成するカバーと、
前記カバーの下側に配置され、前記コイルを収容する収容部と、
を含むことを特徴とする、請求項２に記載の電子開閉装置。
【請求項９】
前記コイルアセンブリー及び前記ヨークの各々には、
前記コイルで発生する磁力によって上下方向に移動するシャフトの移動通路であるシャフト挿入ホールが形成されることを特徴とする、請求項８に記載の電子開閉装置。
【請求項１０】
前記シャフト挿入ホールは、
前記ヨーク上部に形成される第１シャフト挿入ホールと、
前記カバー及び前記収容部に各々形成される第２シャフト挿入ホールと、
を含むことを特徴とする、請求項９に記載の電子開閉装置。
【請求項１１】
前記第２シャフト挿入ホールの内周面には、
前記シャフトの上下方向の移動をガイドするシャフト移動ガイド部が形成されることを特徴とする、請求項１０に記載の電子開閉装置。
【請求項１２】
前記第１シャフト挿入ホール及び前記第２シャフト挿入ホールの直径は、
前記シャフトの直径以上であることを特徴とする、請求項１０に記載の電子開閉装置。
【請求項１３】
内部に磁気力を発生させるコイルが備えられたコイルアセンブリーと、
前記コイルアセンブリーの外面の一部を覆いかぶせて内部に前記コイルアセンブリーが挿入されるヨークと、を含み、
前記ヨークは、
上面を形成するヨーク上部と、
前記ヨーク上部の一側に提供され、前記コイルで発生する磁力を遮断するヨーク側部と、
前記ヨーク上部の反対面に提供され、前記ヨーク側部と連結されるヨーク下部と、を含み、
前記ヨーク上部、ヨーク側部、及びヨーク下部は一体に成形されることを特徴とする、電子開閉装置。
【請求項１４】
前記ヨーク側部は、
前記ヨーク上部の一側に連結される第１ヨーク側部と、
前記第１ヨーク側部の反対面に形成され、前記ヨーク上部の他側と結合する第２ヨーク側部と、を含み、
前記ヨーク上部及び前記第１ヨーク側部と一体に形成されて前記ヨーク上部及び前記第１ヨーク側部を連結する連結部をさらに含むことを特徴とする、請求項１３に記載の電子開閉装置。
【発明の詳細な説明】
【技術分野】
【０００１】
本発明は、電子開閉装置に関するものである。
【背景技術】
【０００２】
電子開閉装置は、 電流を供給または中止する電気的な接点開閉装置の一種であって、各種産業用設備、機械、及び車両などに用いられる。
【０００３】
以下、従来技術に従う電子開閉装置について説明する。
【０００４】
従来の技術に従う電子開閉装置は、磁気力を発生させるコイルアセンブリー、コイルアセンブリーの内部に挿入されて移動できるシャフト、及びシャフトを収容し、フレームを形成するヨークを含む。
【０００５】
シャフトの上側にはヨークと結合できるプレートをさらに含む。
【０００６】
また、プレートとヨークは多数個所で結合できる。
【０００７】
これによって、プレートとヨークとの間の結合時、多数の結合部位で発生する間隔によって孔隙が形成され、孔隙はコイルで発生した磁力を弱化させる原因となった。
【発明の概要】
【発明が解決しようとする課題】
【０００８】
本発明の目的は、ヨークの構成を単純化して孔隙が最小化できる電子開閉装置を提供することにある。
【課題を解決するための手段】
【０００９】
本発明は、電子開閉装置に関するものである。
【００１０】
電子開閉装置の一態様によれば、内部に磁力を発生させるコイルが備えられたコイルアセンブリー、及び前記コイルアセンブリーの外面の一部を覆いかぶせて内部に前記コイルアセンブリーが挿入されるヨークを含み、前記ヨークは、上面を構成するヨーク上部、前記ヨーク上部の一側に提供されて前記コイルで発生する磁力を遮断するヨーク側部、及び前記ヨーク上部と前記ヨーク側部とが一体に形成されるように前記ヨーク上部と前記ヨーク側部との間に配置される連結部を含むことができる。
【００１１】
前記ヨーク側部は、内部に前記コイルアセンブリーが挿入されるように空間を提供する開口、前記上部ヨークと前記連結部により連結される第１ヨーク側部、及び前記第１ヨーク側部の反対面に配置される第２ヨーク側部を含むことができる。
【００１２】
前記連結部は、前記第１ヨーク側部と前記ヨーク上部を垂直になるように連結することができる。
【００１３】
前記連結部は、一定の曲率を有する曲率形態に成形できる。
【００１４】
前記ヨーク上部の一側には前記連結部が形成され、前記ヨーク上部の他側には前記第２ヨーク側部が結合されるように係止溝が形成できる。
【００１５】
前記第２ヨーク側部には、前記係止溝に結合されるように突出部が形成できる。
【００１６】
前記開口は、前記第１ヨーク側部の一側と前記第２ヨーク側部の一側との間の空間に形成される第１開口、及び前記第１ヨーク側部の他側と前記第２ヨーク側部の他側との間の空間に形成される第２開口を含み、前記コイルアセンブリーは、前記第１開口と前記第２開口を順次に通過して前記ヨークの内部に挿入できる。
【００１７】
前記コイルアセンブリーは、上面を形成するカバー、及び前記カバーの下側に配置され、前記コイルを収容する収容部を含むことができる。
【００１８】
前記コイルアセンブリー及び前記ヨークの各々には、前記コイルで発生する磁力によって上下方向に移動するシャフトの移動通路であるシャフト挿入ホールが形成できる。
【００１９】
前記シャフト挿入ホールは、前記ヨーク上部に形成される第１シャフト挿入ホール、及び前記カバー及び前記収容部に各々形成される第２シャフト挿入ホールを含むことができる。
【００２０】
前記第２シャフト挿入ホールの内周面には、前記シャフトの上下方向の移動をガイドするシャフト移動ガイド部が形成できる。
【００２１】
前記第１シャフト挿入ホール及び前記第２シャフト挿入ホールの直径は、前記シャフトの直径以上であることがある。
【発明の効果】
【００２２】
本発明によれば、電子開閉装置を構成するヨークの構造を単純化してコスト低減及び製作工程を縮小させることができ、ヨークの結合部位を最小化して孔隙を縮めることができるので、コイル駆動力を向上させることができる効果がある。
【図面の簡単な説明】
【００２３】
【図１】本発明に従う電子開閉装置の分離斜視図である。
【図２】本発明に従う電子開閉装置の結合斜視図である。
【図３】本発明に従う電子開閉装置の内部構成を示す断面図である。
【発明を実施するための形態】
【００２４】
以下、本発明の好ましい実施形態に対して添付図面を参照しつつ詳細に説明する。
【００２５】
図１は本発明に従う電子開閉装置の分離斜視図であり、図２は本発明に従う電子開閉装置の結合斜視図である。
【００２６】
図１及び図２を参照すると、本発明の電子開閉装置１００は、内部に磁力を発生させるコイルが備えられたコイルアセンブリー２００、及びコイルアセンブリー２００の外面の一部を覆いかぶせて内部にコイルアセンブリー２００が挿入されるヨーク３００を含むことができる。
【００２７】
コイルアセンブリー２００は、上面を形成するカバー２１０及びカバー２１０の下側に配置され、内部にコイルを収容する収容部２２０を含むことができる。
【００２８】
カバー２１０及び収容部２２０の中央部には、コイルの磁力によって上下方向に移動するシャフトの挿入通路である第２シャフト挿入ホール２１１が形成される。第２シャフト挿入ホール２１１の位置は、カバー２１０及び収容部２２０の中央部に形成されることが好ましいが、これに制限されるものではない。
【００２９】
また、第２シャフト挿入ホール２１１は、シャフト（図示せず）の形状及びサイズに対応するように形成できる。一例として、シャフト（図示せず）が円柱形状に形成されれば、シャフト挿入ホール２１１も円柱形状に形成され、そのサイズはシャフト（図示せず）の直径と同一に形成されるか、それより若干大きく形成できる。
【００３０】
カバー２１０は、シャフト（図示せず）が上下方向に移動できるようにガイドするシャフト移動ガイド部２１２をさらに含むことができる。具体的に、第２シャフト挿入ホール２１１の内周面には、シャフト（図示せず）の上下方向の移動をガイドするシャフト移動ガイド部２１２が形成できる。
【００３１】
また、シャフト移動ガイド部２１２は、第２シャフト挿入ホール２１１の形状及びサイズに対応するように形成できる。
【００３２】
一例として、第２シャフト挿入ホール２１１が円柱形状に形成されれば、シャフト移動ガイド部２１２も円柱形状に形成され、そのサイズは第２シャフト挿入ホール２１１の直径と同一に形成されるか、それより若干小さく形成されることもできる。
【００３３】
ヨーク３００は、上面を形成し、シャフトの移動をガイドするヨーク上部３１０、ヨーク上部３１０と連結されるヨーク側部３２０、３３０、及び第１及び第２ヨーク側部３２０、３３０の一側と各々連結され、ヨーク上部３１０の反対面に提供されるヨーク下部３４０を含むことができる。
【００３４】
ヨーク側部は、ヨーク上部３１０の一側と連結される第１ヨーク側部３２０、ヨーク上部３１０の他側と結合され、第１ヨーク側部３２０の反対面に配置される第２ヨーク側部３３０、及び内部にコイルアセンブリー２００が挿入されるように空間を提供する開口３９０を含むことができる。
【００３５】
また、ヨーク３００には、第１ヨーク側部３２０とヨーク上部３１０とが一体に形成されるようにヨーク上部３１０と第１ヨーク側部３２０との間に配置される連結部３５０をさらに含むことができる。
【００３６】
開口３９０は、第１ヨーク側部３２０の一側と第２ヨーク側部３３０の一側との間の空間に形成される第１開口、及び第１ヨーク側部３２０の他側と第２ヨーク側部３３０の他側との間の空間に形成される第２開口を含むことができる。
【００３７】
したがって、コイルアセンブリー２００は、第１開口と第２開口を順次に通過してヨーク３００の内部に挿入できる。
【００３８】
第１及び第２ヨーク側部３２０、３３０は、コイルで発生する磁力が外部に漏洩しないように防止することができる。即ち、第１ヨーク側部３２０及び第２ヨーク側部３３０は、コイルで発生する磁力を遮断することができる。
【００３９】
ヨーク上部３１０の中央部には、磁力により上下方向に移動できるシャフト（図示せず）の貫通通路である第１シャフト挿入ホール３６０が形成される。第１シャフト挿入ホール３６０は、ヨーク上部３１０の中央部とヨーク下部３４０の中央部に各々形成されることもできる。但し、ヨーク上部３１０とヨーク下部３４０に形成される第１シャフト挿入ホール３６０は、上下方向に対応する位置に形成できる。また、第１シャフト挿入ホール３６０は、シャフト（図示せず）のサイズ及び形状と対応するように形成できる。
【００４０】
また、第１シャフト挿入ホール３６０の直径は、内部にシャフト（図示せず）がより円滑に移動できるようにシャフト（図示せず）の直径以上であることがある。
【００４１】
ヨーク上部３１０の一側には連結部３５０が位置し、連結部３５０によりヨーク上部３４０と第１ヨーク側部３２０とが一体に連結される。連結部３５０は、一定の曲率を有する曲面形態に形成できる。ヨーク上部３４０と第１ヨーク側部３２０とは連結部３５０により垂直になるように連結できる。即ち、連結部３５０は一定の曲率を有する曲面が垂直になるように形成されて、ヨーク上部３１０と第１ヨーク側部３２０とを一体に連結することができる。
【００４２】
ヨーク上部３１０の他側は第２ヨーク側部３３０と結合できる。即ち、ヨーク上部３１０の他側は係止溝３８０が形成され、第２ヨーク側部３３０の一側には突出部３７０が形成され、係止溝３８０に突出部３７０が結合されてヨーク上部３１０と第２ヨーク側部３３０とが結合できる。
【００４３】
係止溝３８０と突出部３７０は、ヨーク上部３１０及び第２ヨーク側部３３０に対応する位置に形成できる。但し、ヨーク上部３１０の他側に突出部３７０が形成され、第２ヨーク側部３３０の一側に係止溝３８０が形成されることもできる。
【００４４】
また、係止溝３８０及び突出部３７０が結合を形成する位置及び結合個数にはその制限がない。一例として、係止溝３８０と突出部３７０との結合は、ヨーク上部３１０の左右方向を貫通する中央線を基準に対応する位置に一対が形成されることもできる。
【００４５】
以下、電子開閉装置１００の組立過程を図１及び図２を参照して具体的に説明すれば、次の通りである。
【００４６】
まず、一体に形成されたヨーク３００の内部にコイルアセンブリー２００の外面の一部を覆いかぶせるように挿入する。次に、ヨーク３００の第１シャフト挿入ホール３６０とコイルアセンブリー２００の第２シャフト挿入ホール２１１とが対応するように位置させる。そして、シャフト（図示せず）を第１シャフト挿入ホール３６０と第２シャフト挿入ホール２１１に順次的に挿入する。この際、シャフト（図示せず）はシャフト移動ガイド部２１２によりガイドされてシャフト挿入ホール２１１、３６０に沿って挿入できる。
【００４７】
図３は、本発明に従う電子開閉装置の内部構成を示す断面図である。
【００４８】
図３を参照すると、本発明のコイルアセンブリー２００は、シャフトの上下方向の移動をガイドするシャフト移動ガイド部２１２、シャフト移動ガイド部２１２の両側に対応するように形成されるフレーム２２２、及びフレーム２２２の内部に受容され、磁力を提供するコイル２２１を含むことができる。
【００４９】
電子開閉装置１００の動作過程を図３を参照して具体的に説明すれば、次の通りである。
【００５０】
通電時にはコイル２２１に電源が印加され、コイル２２１の周辺には磁力が発生する。これによって、可動コア（図示せず）は磁気抵抗が小さくなる方向である上方向に移動するようになり、可動コア（図示せず）の移動と同時にシャフト（図示せず）がシャフト移動ガイド部２１２に沿って上方向に移動するようになる。シャフト（図示せず）の一側には可動接点（図示せず）が連結されている。したがって、可動接点（図示せず）が可動接点（図示せず）の上側に固定されている固定接点（図示せず）と接触して通電できる。
【００５１】
一方、電流供給を遮断しようとする時は、コイル２２１の電源供給を中止する。これによって、コイル２２１の磁気力の発生が中止され、可動コア（図示せず）が下方向に移動できる。
【００５２】
これによって、シャフト（図示せず）がシャフト移動ガイド部２１２に沿って下方向に移動し、可動接点（図示せず）は固定接点（図示せず）から分離されて電流が遮断できる。
【００５３】
本実施形態に従う電子開閉装置は、ヨーク上部３１０と第１ヨーク側部３２０とを連結する連結部３５０をさらに含み、ヨーク上部３１０、連結部３５０、及び第１ヨーク側部３２０が一体に連結できる。
【００５４】
したがって、従来にはプレートとヨークとの間で発生する孔隙が多数個所で形成されていたが、本発明によれば、ヨーク上部３１０の一側にはヨーク上部３１０と第１ヨーク側部３２０とを一体に連結する連結部３５０が形成されて孔隙の発生を減らすことができ、これによって、コイルの駆動力を向上させることができる長所がある。
【００５５】
また、ヨーク上部３１０、ヨーク側部３２０、３３０、及びヨーク下部３４０が一体に成形されるので、製造工程が簡素化できる長所がある。
【符号の説明】
【００５６】
１００    電子開閉装置
２００    コイルアセンブリー
２１０    カバー
２２０    収容部
２１１    第２シャフト挿入ホール
３００    ヨーク
３１０    ヨーク上部
３２０    第１ヨーク側部 
３３０    第２ヨーク側部
３４０    ヨーク下部
３５０    連結部
３６０    第１シャフト挿入ホール
３７０    突出部
３８０    係止溝
【図１】
2014053616.tif 000003
【図２】
2014053616.tif 000004
【図３】
2014053616.tif 000005